(57)【要約】【課題】通話中の利用者が自然な動作で通話音声を調整できる音声通話装置を提供する。【解決手段】電話機１には、利用者の身体部位の接触を検知する第１タッチセンサ２０が筐体２の底面に、第２タッチセンサ３０が筐体２の側面に、それぞれ設けられている。また、筐体２の下部において、利用者が音声を入力するマイク６の近傍に光の反射によって近傍の障害物を非接触で検知するフォトセンサ４０が設けられている。通話中の利用者が、電話機１を把持しない方の手で口元（マイク６）近傍を覆うと、その状態が第１タッチセンサ２０、第２タッチセンサ３０、フォトセンサ４０に検出されて、電話機１には通話モードとして「ひそひそモード」が設定される。また、利用者によってフォトセンサ４０が覆われた程度に応じて、マイク６からの音声信号が調整される。【選択図】図２
2006025402.tif 000002
【特許請求の範囲】
【請求項１】
音声が入力されて音声信号に変換するマイクと、該マイクが設けられて利用者が把持して通話を行うためのハンドセットとを備えた音声通信装置において、
前記音声信号を調整する必要があるか否かを判定する音声判定手段と、
前記音声判定手段により前記音声信号を調整する必要があると判定された場合、前記音声信号を調整するための音声調整手段と、
を備えることを特徴とする音声通信装置。
【請求項２】
前記音声判定手段は、前記ハンドセットの下部が覆われたことを検出する秘話動作検出手段であることを特徴とする請求項1に記載の音声通信装置。
【請求項３】
前記秘話動作検出手段は、
前記ハンドセットの下部に設けられて、外部からの接触に応じて検出信号を出力する第１タッチセンサと、
前記第１タッチセンサからの検出信号に基づいて、前記ハンドセットの下部が覆われたか否かを判定する被覆判定手段とを備えることを特徴とする請求項２に記載の音声通信装置。
【請求項４】
前記マイクは、前記ハンドセットの下部に設けられ、
前記第１タッチセンサは、前記マイクの近傍に設けられたことを特徴とする請求項３に記載の音声通信装置。
【請求項５】
前記秘話動作検出手段は、
前記ハンドセットの側面部に設けられて、外部からの接触に応じて検出信号を出力する第２タッチセンサを備え、
前記被覆判定手段は、第１タッチセンサ及び第２タッチセンサからの検出信号に基づいて、前記ハンドセットの下部が覆われたか否かを判定することを特徴とする請求項３に記載の音声通信装置。
【請求項６】
利用者が前記音声信号の調整を指示するための調整指示手段を備え、
前記音声調整手段は、前記調整指示手段からの情報に応じて、前記音声信号を調整することを特徴とする請求項２乃至５のいずれかに記載の音声通信装置。
【請求項７】
前記調整指示手段は、前記ハンドセットの下部に設けられて、外部からの光に応じて検出信号を出力するフォトセンサであることを特徴とする請求項６に記載の音声通信装置。
【請求項８】
前記フォトセンサは、通話時の利用者が前記ハンドセットを把持するときに、該ハンドセットにおける利用者の顔に対して向けられる面に設けられたことを特徴とする請求項６に記載の音声通信装置。
【請求項９】
前記音声調整手段は、前記調整指示手段からの情報に応じて、前記マイクの感度を段階的に変化させることを特徴とする請求項６に記載の音声通信装置。
【請求項１０】
前記音声調整手段は、前記調整指示手段からの情報に応じて、前記マイクからの音声信号の増幅率を段階的に変化させることを特徴とする請求項６に記載の音声通信装置。
【請求項１１】
前記音声調整手段は、前記調整指示手段からの情報に応じて、前記マイクからの音声信号の波形を補正することを特徴とする請求項６に記載の音声通信装置。
【請求項１２】
前記音声判定手段は、
前記ハンドセットに設けられたスピーカが通話相手からの送話を出力中であるか否かを判定するスピーカ出力判定手段、
を有し、
前記音声調整手段は、
前記スピーカ出力判定手段の判定に応じて前記マイクからの音量を計測する音量計測手段、
を有し、
前記音量調整手段は、前記音量計測手段の計測値に応じて音量調節を行うことを特徴とする請求項1に記載の音声通信装置。
【請求項１３】
前記音声調整手段は、
前記マイクからの音量を計測する音量計測手段、
を有し、
前記音声通信装置は、
前記音量計測手段が計測した音量を音量値履歴データとして保持する音量履歴保持手段、
を有し、
前記音量調整手段は、前記音量履歴保持手段に保持された音量値履歴データに応じて音量調節を行うことを特徴とする請求項1に記載の音声通信装置。
【請求項１４】
前記音声通信装置は、
周囲の環境音を検出する環境音用外部マイク
を備え、
前記音声調整手段は、
前記環境音用外部マイクからの音量を雑音として除去した音量を前記マイクからの音量として計測する音量計測手段、
を有し、
前記音量調整手段は、前記音量計測手段の計測値に応じて音量調整を行うことを特徴とする請求項1に記載の音声通信装置。
【請求項１５】
前記音声調整手段は、
前記ハンドセットに設けられたスピーカの設定レベルを取得し、音声データに前記設定レベルを重畳した送信データを作成する送信データ作成手段
を備え、
前記音声判定手段は、
通話相手からの送信データからスピーカの設定レベルを分離する設定レベル分離手段
を有し、
前記音声調整手段は、前記設定レベル分離手段で分離された設定レベルに応じて音量調整を行うことを特徴とする請求項1に記載の音声通信装置。
【請求項１６】
前記音声調整手段は、前記マイクの感度を段階的に変化させることで音量調整を行うことを特徴とする請求項１２乃至１５のいずれかに記載の音声通信装置。
【請求項１７】
前記音声調整手段は、前記マイクからの音声信号の増幅率を段階的に変化させることで音量調整を行うことを特徴とする請求項１２乃至１５のいずれかに記載の音声通信装置。
【請求項１８】
前記音声調整手段は、前記マイクからの音声信号の波形を補正することで音量調整を行うことを特徴とする請求項１２乃至１５のいずれかに記載の音声通信装置。
【請求項１９】
前記音声通信装置は、前記ハンドセットが該音声通信装置の筐体をなす携帯端末装置であることを特徴とする請求項１に記載の音声通信装置。
【発明の詳細な説明】
【技術分野】
【０００１】
本発明は、通話相手と音声通信を行う音声通信装置に関し、詳細には、利用者が自然な動作で通話音声を調整できる音声通信装置に関する。
【背景技術】
【０００２】
従来、電話回線を介して通話相手と音声通信を行うのに、周囲の人に遠慮して電話する場合や、通話相手だけに聞こえるように内緒話する場合などで、小声でも通話相手に十分な音量で送話音声が届くようにマイク感度を上げる、いわゆる秘話モード（ひそひそモード）を設定可能な音声通信装置が知られている。
【０００３】
この秘話モードが設定されると、スピーカから出力される自己の送話音声の音量レベルが増大され、利用者は自然に送話音声のレベルを下げることになる。一方、送話相手の電話機からは音量レベルが増大された送話音声が出力されるようになっている（例えば、特許文献１参照。）。
【特許文献１】特開平１０−２７６２４７号公報
【発明の開示】
【発明が解決しようとする課題】
【０００４】
しかしながら、特許文献１に記載の発明では、利用者による所定のボタン操作がなければ秘話モードを設定できないため、利用者は秘話モード設定用のボタン操作を記憶している必要があり、かつ正確に所定のボタン操作を入力する必要があった。また、通話中に小声で話す必要が生じて秘話モードを設定する場合には、いったん通話を中断しなければ秘話モード設定用のボタン操作を入力できなかった。このように従来の音声通信装置では、小声での通話に適した秘話モードを設定可能であっても、その設定に関する様々な負担を利用者に与えていた。
【０００５】
本発明は上記課題を解決するためになされたものであり、利用者の通話状態に応じて小声での通話に適した秘話モード（ひそひそモード）が自動的に設定されるようにして、通話中の利用者が自然な動作で通話音声を調整できる音声通信装置を提供することを目的とする。
【課題を解決するための手段】
【０００６】
上記目的を達成するために、請求項１に係る発明の音声通信装置は、音声が入力されて音声信号に変換するマイクと、該マイクが設けられて利用者が把持して通話を行うためのハンドセットとを備えた音声通信装置において、前記音声信号を調整する必要があるか否かを判定する音声判定手段と、前記音声判定手段により前記音声信号を調整する必要があると判定された場合、前記音声信号を調整するための音声調整手段とを備えている。
【０００７】
請求項２に係る発明の音声通信装置は、請求項１に記載の発明の構成に加え、前記音声判定手段は、前記ハンドセットの下部が覆われたことを検出する秘話動作検出手段である。
【０００８】
また、請求項３に係る発明の音声通信装置は、請求項２に記載の発明の構成に加え、前記秘話動作検出手段は、前記ハンドセットの下部に設けられて、外部からの接触に応じて検出信号を出力する第１タッチセンサと、前記第１タッチセンサからの検出信号に基づいて、前記ハンドセットの下部が覆われたか否かを判定する被覆判定手段とを備えている。
【０００９】
また、請求項４に係る発明の音声通信装置は、請求項３に記載の発明の構成に加え、前記マイクは、前記ハンドセットの下部に設けられ、前記第１タッチセンサは、前記マイクの近傍に設けられたことを特徴とする。
【００１０】
また、請求項５に係る発明の音声通信装置は、請求項３に記載の発明の構成に加え、前記秘話動作検出手段は、前記ハンドセットの側面部に設けられて、外部からの接触に応じて検出信号を出力する第２タッチセンサを備え、前記被覆判定手段は、第１タッチセンサ及び第２タッチセンサからの検出信号に基づいて、前記ハンドセットの下部が覆われたか否かを判定することを特徴とする。
【００１１】
また、請求項６に係る発明の音声通信装置は、請求項２乃至５のいずれかに記載の発明の構成に加え、利用者が前記音声信号の調整を指示するための調整指示手段を備え、前記音声調整手段は、前記調整指示手段からの情報に応じて、前記音声信号を調整することを特徴とする。
【００１２】
また、請求項７に係る発明の音声通信装置は、請求項６に記載の発明の構成に加え、前記調整指示手段は、前記ハンドセットの下部に設けられて、外部からの光に応じて検出信号を出力するフォトセンサであることを特徴とする。
【００１３】
また、請求項８に係る発明の音声通信装置は、請求項６に記載の発明の構成に加え、前記フォトセンサは、通話時の利用者が前記ハンドセットを把持するときに、該ハンドセットにおける利用者の顔に対して向けられる面に設けられたことを特徴とする。
【００１４】
また、請求項９に係る発明の音声通信装置は、請求項５６に記載の発明の構成に加え、前記音声調整手段は、前記調整指示手段からの情報に応じて、前記マイクの感度を段階的に変化させることを特徴とする。
【００１５】
また、請求項１０に係る発明の音声通信装置は、請求項６に記載の発明の構成に加え、前記音声調整手段は、前記調整指示手段からの情報に応じて、前記マイクからの音声信号の増幅率を段階的に変化させることを特徴とする。
【００１６】
また、請求項１１に係る発明の音声通信装置は、請求項６に記載の発明の構成に加え、前記音声調整手段は、前記調整指示手段からの情報に応じて、前記マイクからの音声信号の波形を補正することを特徴とする。
【００１７】
また、請求項１２に係る発明の音声通信装置は、請求項１に記載の発明の構成に加え、前記音声判定手段は、前記ハンドセットに設けられたスピーカが通話相手からの送話を出力中であるか否かを判定するスピーカ出力判定手段を有し、前記音声調整手段は、前記スピーカ出力判定手段の判定に応じて前記マイクからの音量を計測する音量計測手段を有し、前記音量調整手段は、前記音量計測手段の計測値に応じて音量調節を行うことを特徴とする。
【００１８】
また、請求項１３に係る発明の音声通信装置は、請求項１に記載の発明の構成に加え、前記音声調整手段は、前記マイクからの音量を計測する音量計測手段を有し、前記音声通信装置は、前記音量計測手段が計測した音量を音量値履歴データとして保持する音量履歴保持手段を有し、前記音量調整手段は、前記音量履歴保持手段に保持された音量値履歴データに応じて音量調節を行うことを特徴とする。
【００１９】
また、請求項１４に係る発明の音声通信装置は、請求項１に記載の発明の構成に加え、前記音声通信装置は、周囲の環境音を検出する環境音用外部マイクを備え、前記音声調整手段は、前記環境音用外部マイクからの音量を雑音として除去した音量を前記マイクからの音量として計測する音量計測手段を有し、前記音量調整手段は、前記音量計測手段の計測値に応じて音量調整を行うことを特徴とする。
【００２０】
また、請求項１５に係る発明の音声通信装置は、請求項１に記載の発明の構成に加え、前記音声調整手段は、前記ハンドセットに設けられたスピーカの設定レベルを取得し、音声データに前記設定レベルを重畳した送信データを作成する送信データ作成手段を備え、前記音声判定手段は、通話相手からの送信データからスピーカの設定レベルを分離する設定レベル分離手段を有し、前記音声調整手段は、前記設定レベル分離手段で分離された設定レベルに応じて音量調整を行うことを特徴とする。
【００２１】
また、請求項１６に係る発明の音声通信装置は、請求項１２乃至１５のいずれかに記載の発明の構成に加え、前記音声調整手段は、前記マイクの感度を段階的に変化させることで音量調整を行うことを特徴とする。
【００２２】
また、請求項１７に係る発明の音声通信装置は、請求項１２乃至１５のいずれかに記載の発明の構成に加え、前記音声調整手段は、前記マイクからの音声信号の増幅率を段階的に変化させることで音量調整を行うことを特徴とする。
【００２３】
また、請求項１８に係る発明の音声通信装置は、請求項１２乃至１５のいずれかに記載の発明の構成に加え、前記音声調整手段は、前記マイクからの音声信号の波形を補正することで音量調整を行うことを特徴とする。
【００２４】
また、請求項１９に係る発明の音声通信装置は、請求項１に記載の発明の構成に加え、前記音声通信装置は、前記ハンドセットが該音声通信装置の筐体をなす携帯端末装置であることを特徴とする。
【発明の効果】
【００２５】
請求項１に係る発明の音声通信装置では、マイクが設けられて利用者が把持して通話を行うためのハンドセットを備えた音声通信装置において、音声判定手段が音声を調整する必要であるか否かを判断し、音声調整手段が自動的に音声を調整するようにしたので、煩雑な操作などを必要とせずに、音声を適正な音量に調整することができる。
【００２６】
請求項２に係る発明の音声通信装置では、請求項１に記載の発明の効果に加え、音声判定手段は、秘話動作検出手段であるので、ハンドセットの下部が覆われた場合には音声信号が自動的に調整され、利用者は自然な動作で音声信号を調整することができる。
【００２７】
また、請求項３に係る発明の音声通信装置では、請求項２に記載の発明の効果に加え、秘話動作検出手段は、ハンドセットの下部に設けられた第１タッチセンサからの検出信号によって、ハンドセットの下部が覆われたか否かを判定するので、ハンドセットの下部が覆われたことを正確に検出することができる。
【００２８】
また、請求項４に係る発明の音声通信装置では、請求項３に記載の発明の効果に加え、マイクはハンドセットの下部に設けて、第１タッチセンサはマイクの近傍に設けたので、利用者が秘匿通話するときには、マイクが設けられたハンドセットの下部を覆うことになるため、利用者はハンドセットの下部を覆うという自然な動作で音声信号を調整することができる。
【００２９】
また、請求項５に係る発明の音声通信装置では、請求項３記載の発明の効果に加え、ハンドセットの側面部に設けられた第２タッチセンサを備えて、第１タッチセンサ及び第２タッチセンサからの検出信号に基づいて、ハンドセットの下部が覆われたか否かを判定するようにした。よって、通話状態では、音声通信装置を把持する利用者の手がハンドセットの側面部に設けられた第２タッチセンサに接触するため、通話中にハンドセットの下部が覆われたことを正確に検出することができる。
【００３０】
また、請求項６に係る発明の音声通信装置では、請求項２乃至５のいずれかに記載の発明の効果に加え、利用者が音声信号の調整を指示するための調整指示手段を備えたので、調整指示手段からの情報によってハンドセットの下部が覆われた程度を把握でき、その程度に応じて音声信号を調整することができる。
【００３１】
また、請求項７に係る発明の音声通信装置では、請求項６に記載の発明の効果に加え、調整指示手段はハンドセットの下部に設けられて外部からの光に応じて検出信号を出力するフォトセンサとした。よって、利用者はハンドセットの下部を覆うという自然な動作で音声信号の調整を指示することができ、またフォトセンサからの検出信号によってハンドセットの下部が覆われた程度を把握できる。
【００３２】
また、請求項８に係る発明の音声通信装置では、請求項６に記載の発明の効果に加え、通話時の利用者がハンドセットを把持するときに、ハンドセットにおける利用者の顔に対して向けられる面にフォトセンサを設けた。よって、利用者が任意に覆うことが容易な位置にフォトセンサを設けられているので、利用者は自然な動作で音声信号を調整することができる。
【００３３】
また、請求項９に係る発明の音声通信装置では、請求項６に記載の発明の効果に加え、調整指示手段からの情報に応じて、マイクの感度が段階的に変化されるので、ハンドセットの下部が覆われた程度に応じて最適な音声信号に調整することができる。
【００３４】
また、請求項１０に係る発明の音声通信装置では、請求項６に記載の発明の効果に加え、調整指示手段からの情報に応じて、マイクからの音声信号の増幅率が段階的に変化されるので、ハンドセットの下部が覆われた程度に応じて最適な音声信号に調整することができる。
【００３５】
また、請求項１１に係る発明の音声通信装置では、請求項６に記載の発明の効果に加え、調整指示手段からの情報に応じて、マイクからの音声信号の波形が補正されるので、ハンドセットの下部が覆われた程度に応じて最適な音声信号に調整することができる。
【００３６】
また、請求項１２に係る発明の音声通信装置では、請求項１に記載の発明の効果に加え、スピーカ出力判定手段がスピーカからの出力の有無を判定し、判定結果に応じて音量計測手段が音量を計測するので、より正確な音量計測が可能になり、適切に音量調整を行うことができる。
【００３７】
また、請求項１３に係る発明の音声通信装置では、請求項１に記載の発明の効果に加え、計測した音量を音量値履歴データとして保持し、保持された音量値履歴データに応じて音量調節を行うので、利用者の音声の特徴に則した音量調整を行うことができる。
【００３８】
また、請求項１４に係る発明の音声通信装置では、請求項１に記載の発明の効果に加え、環境音用外部マイクからの音声を雑音として除去した音量をマイクからの音量として計測し、その計測値に応じて音量調整を行うので、利用者の音声の音量計測をより正確に行うことができ、音量調節を的確に行うことが可能になる。
【００３９】
また、請求項１５に係る発明の音声通信装置は、請求項１に記載の発明の効果に加え、音声データにハンドセットに設けられたスピーカの設定レベルを重畳した送信データを作成して送信し、通話相手からの送信データに重畳されたスピーカの設定レベルに応じて音量調整を行うので、より適切な音量で音声を再生することが可能になる。
【００４０】
また、請求項１６に係る発明の音声通信装置は、請求項１２乃至１５のいずれかに記載の発明の効果に加え、マイクの感度を段階的に変化させることで音量調整を行うので、計測された音量に応じて最適な音声信号に調整することができる。
【００４１】
また、請求項１７に係る発明の音声通信装置は、請求項１２乃至１５のいずれかに記載の発明の効果に加え、マイクからの音声信号の増幅率を段階的に変化させて音量調整を行うので、計測された音量に応じて最適な音声信号に調整することができる。
【００４２】
また、請求項１８に係る発明の音声通信装置は、請求項１２乃至１５のいずれかに記載の発明の効果に加え、マイクからの音声信号の波形を補正して音量調整を行うので、計測された音量に応じて最適な音声信号に調整することができる。
【００４３】
また、請求項１９に係る発明の音声通信装置は、請求項１に記載の発明の効果に加え、音声通信装置はハンドセットが筐体をなす携帯端末装置であるので、本発明をハンドセット自体が一体の筐体をなす音声通信装置として実装できる。
【発明を実施するための最良の形態】
【００４４】
【実施例１】
【００４５】
以下、本発明の第１の実施例を図面を参照して説明する。第１の実施例に係る音声通信装置は、利用者と通話相手とが無線通信によって通話するための携帯電話機である。
【００４６】
まず、図１乃至図３を参照して、第１の実施例に係る電話機１の構成について説明する。図１は、電話機１を用いて通話する利用者を示す図である。図２は、電話機１の物理的構成を示す外観斜視図である。図３は、電話機１の電気的構成を示すブロック図である。
【００４７】
図１に示すように、電話機１は利用者により携行されており、通常時、利用者は電話機１を片手に把持して、スピーカ３を片耳にあて、かつマイク６に向かって、普通の声の大きさで通話相手と会話する（以下、通常通話とよぶ。）。この通常通話の状態では、後述するように、電話機１には「通常モード」が設定され、利用者と通話相手との間では通常の音量の大きさによる通話が実行される。一方、周囲の人に遠慮して電話する場合や、通話相手だけに聞こえるように内緒話する場合などでは、利用者は電話機１を把持しない方の手で口元（マイク６）近傍を覆い、マイク６が集音しやすい状態にして小さな声で通話する（以下、秘匿通話とよぶ。）。この秘匿通話の状態では、後述するように、電話機１には「ひそひそモード」が設定されて、マイク６の感度が大きくなるように制御される。そして、マイク６から集音される利用者の音声の音量レベルが調整されて、利用者と通話相手との間で通話が実行される。
【００４８】
次に、電話機１の物理的構成を説明する。図２に示すように、電話機１の筐体２には、その正面上部に、通話相手の音声を出力するスピーカ３が設けられており、そのスピーカ３の下方に、電話番号やメニュー画面などを表示するための液晶ディスプレイ（ＬＣＤ）である表示部５が設けられている。表示部５の下方には、電話番号の入力や、着信（電話回線の閉結）、切断（電話回線の開放）などの各種操作を行うための複数のボタンやスイッチを備えた操作部４が設けられており、更に、その操作部４の下方には、利用者の音声が入力されて音声信号に変換するためのマイク６が設けられている。このように電話機１には、スピーカ３及びマイク６に加え、表示部５や操作部４が一つの筐体２に設けられている。なお、電話機１は、筐体２の上部に設けられたアンテナ７を介して、電話回線（図示しない）と無線通信により接続されて、通話相手との音声通話が実行される。
【００４９】
また、電話機１の筐体２には、利用者の身体部位の接触を検知する接触型センサが複数設けられており、筐体２の底面部に設けられているのが第１タッチセンサ２０であり、筐体２の側面部に設けられているのが第２タッチセンサ３０である。第１タッチセンサ２０は、利用者が「ひそひそモード」で通話する場合に、電話機１を把持しない方の手で口元（マイク６）近傍を覆うと、その手が第１タッチセンサ２０に接触するように設けられている。また、第２タッチセンサ３０は、通話中の利用者における、電話機１を把持する方の手が接触するように設けられている。
【００５０】
さらに、電話機１の筐体２の前面下部において、かつマイク６の近傍に、光の反射によって近傍の障害物を非接触で検知するフォトセンサ４０が設けられている。フォトセンサ４０は、利用者が「ひそひそモード」で通話する場合に、電話機１を把持しない方の手で口元（マイク６）近傍を覆うと、その手がフォトセンサ４０に照射する光を遮断するようになっている。
【００５１】
次に、電話機１の電気的構成を説明する。図３に示すように、電話機１には、ＣＰＵ１０、ＲＯＭ１２、ＲＡＭ１３、通信部１４、音声信号処理部１５、入出力Ｉ／Ｏ１９が、バス１１を介して相互に接続されている。
【００５２】
ＣＰＵ１０は、バス１１により接続された各部を制御し、通話処理やデータ通信処理などを実行するものである。ＲＯＭ１２は、電話機１で実行される各種プログラムや固定値データなどを格納した書換不能なメモリである。本実施例の電話機１で実行されるモジュールの一つとして通話モード制御プログラムが実行されるが、この通話モード制御プログラムもＲＯＭ１２上のプログラム記憶エリア（図示外）に記憶されている。ＲＡＭ１３は、電話機１の各処理の実行時に各種のデータを一時的に記憶するためのメモリであり、このＲＡＭ１３には、例えばマイク６の入力感度を示すマイク感度設定値や、スピーカ３の音量の設定値などが記憶されている。また、電話機１の通話モードを示すフラグ情報もＲＡＭ１３に記憶されており、デフォルト状態では「通常モード」を示す通話モードが「ＯＮ」に設定されている。なお、通話モードが「ＯＮ」の場合は、「ひそひそモード」を示す通話モードが「ＯＦＦ」であることを示し、逆に、通話モードが「ＯＦＦ」の場合は「ひそひそモード」が「ＯＮ」であることを示す。
【００５３】
また、通信部１４は、回線制御を行うためのネットワーク・コントロール・ユニット（ＮＣＵ）であり、アンテナ７を介して無線通信により電話回線（図示せず）に接続される。この通信部１４は、交換機（図示せず）から送信される呼び出し信号や発呼側装置の電話番号（発信者番号）等を受信したり、操作部４の操作に応じた発信時のダイヤル信号を交換機（図示せず）へ送信したり、通話時におけるアナログ音声信号の送受信を行うなどする。また、音声信号処理部１５は、マイク６から入力された音声信号を符号化して、通信部１４を介して通話相手に送信したり、通信部１４を介して得られた通話相手の音声信号を復号化してスピーカ３に出力するなど、音声信号に関する処理を実行する。また、入出力Ｉ／Ｏ１９には、先述の操作部４、表示部５、第１タッチセンサ２０、第２タッチセンサ３０、フォトセンサ４０が各々接続されており、電話機１の内部では各種の入出力信号が伝達可能に構成されている。
【００５４】
次に、本発明の電話機１での処理の流れを、図４乃至図７を参照して説明する。図４は、通話モード制御処理のメインフローチャートである。図５は、通話モード判定処理（Ｓ１）の詳細を示すフローチャートである。図６は、マイク感度変更処理（Ｓ７）の詳細を示すフローチャートである。図７は、マイク感度設定テーブル７０の構成を示す図である。
【００５５】
通話モード制御処理のメインフローチャート（図４）は、利用者が電話機１を用いて通話中に実行される。すなわち、電話機１において、電話の着信又は発信がなされると通話モード制御処理が開始されて、通話中はその処理が継続して実行され、通話が終了するとその処理が終了される。
【００５６】
図４に示すように、通話モード制御処理では、まず通話モード判定処理（Ｓ１）が実行される。通話モード判定処理は、電話機１に備えられた各種センサからの情報を基に現在の利用者の状態を判断し、通常通話に適した「通常モード」と、秘匿通話に適した「ひそひそモード」とのいずれを設定すべきかを判定する処理である。
【００５７】
図５に示すように、通話モード判定処理（Ｓ１）では、まずフォトセンサ４０からの明るさの測定値（ＬＵＸ）が取得され（Ｓ２１）、Ｓ２１で取得された測定値（ＬＵＸ）が標準閾値以下であるか否かが判定される（Ｓ２３）。本実施例では、一例として、フォトセンサ４０は０〜１０００ルクスを測定値（ＬＵＸ）として取得可能であり、通話モードを判定するための基準値である標準閾値を１９２ルクスとする。なお、標準閾値としては日常生活レベルにおける平均的な照度に対してやや暗い値が好適である。一般的に、食堂・浴室・洗面所・トイレ等の明るさは約２００ルクスであるため、本実施例では、手で覆われた状態を検出する標準閾値として１９２ルクスを設定している。
【００５８】
Ｓ２１で取得された測定値（ＬＵＸ）が標準閾値以下である場合（Ｓ２３：ＹＥＳ）、第１タッチセンサ２０が「ＯＮ」であるか否かが判定される（Ｓ２５）。第１タッチセンサ２０が「ＯＮ」と判定された場合（Ｓ２５：ＹＥＳ）、第２タッチセンサ３０が「ＯＮ」であるか否かが判定される（Ｓ２７）。第２タッチセンサ３０が「ＯＮ」である場合（Ｓ２７：ＹＥＳ）、通話モード「ひそひそモード」を「ＯＮ」とするフラグ情報がＲＡＭ１３の所定の記憶領域に設定される（Ｓ２９）。一方、Ｓ２１で取得された測定値（ＬＵＸ）が標準閾値より大である場合（Ｓ２３：ＮＯ）、第１タッチセンサ２０が「ＯＦＦ」である場合（Ｓ２５：ＮＯ）、第２タッチセンサ３０が「ＯＦＦ」である場合（Ｓ２７：ＮＯ）のいずれかの場合には、通話モード「ひそひそモード」を「ＯＦＦ」とするフラグ情報がＲＡＭ１３の所定の記憶領域に設定される（Ｓ２９）。Ｓ２９、Ｓ３１の後、通話モード制御処理（図４）に戻る。
【００５９】
すなわち、図１に示すように、利用者が通常通話をしている場合（図１の左側）、フォトセンサ４０は正常に外部からの光を計測できる状態にあるため、通常は標準閾値以上の照度（ルクス）が計測される。また、暗い場所での通話や、フォトセンサ４０への光の進入を遮る障害物の存在など、フォトセンサ４０が標準閾値以上の照度（ルクス）を計測できない状態でも、通常通話の状態では利用者は第１タッチセンサ２０には触れていないため、第１タッチセンサ２０は「ＯＦＦ」となっている。よって、通常通話時には、Ｓ２３、Ｓ２５で「ＮＯ」と判定されて、Ｓ３１で「ひそひそモード」＝「ＯＦＦ」（すなわち「通常モード」＝「ＯＮ」）が設定されることになる。
【００６０】
一方、利用者が秘匿通話をしている場合（図１の右側）、利用者は電話機１を把持しない方の手で口元（マイク６）近傍を覆い、マイク６が集音しやすい状態をとっている。この場合、フォトセンサ４０は利用者の手で光が遮られた状態にあるため、標準閾値よりも小さい照度（ルクス）が計測される。また、利用者の電話機１を把持しない方の手がタッチセンサ２０に触れているため、第１タッチセンサ２０は「ＯＮ」となっている。さらに、通話中の電話機１は利用者により把持されているため、第２タッチセンサ３０は「ＯＮ」となっている。よって、秘匿通話時には、Ｓ２３、Ｓ２５、Ｓ２７で「ＹＥＳ」と判定されて、Ｓ２９で「ひそひそモード」＝「ＯＮ」（「通常モード」＝「ＯＦＦ」）が設定されることになる。
【００６１】
通話モード制御処理（図４）に戻り、ＲＡＭ１３が参照されて、「ひそひそモード」が「ＯＮ」か否かが判定される（Ｓ３）。「ひそひそモード」が「ＯＮ」である場合（Ｓ３：ＹＥＳ）、後述のマイク感度変更処理が実行される（Ｓ５）。
【００６２】
図６に示すように、マイク感度変更処理（Ｓ５）では、Ｓ２１で取得した明るさの測定値（ＬＵＸ）に基づいて、マイク感度設定テーブル７０から設定すべきマイク感度が特定される（Ｓ４１）。図７に示すように、マイク感度設定テーブル７０は、明るさの測定値（ＬＵＸ）７１と、その測定値（ＬＵＸ）に対応するマイク感度７２が段階的に設定されており、明るさの測定値（ＬＵＸ）７１が小さいほど高い値のマイク感度７２が設定されている。そして、Ｓ４１で特定されたマイク感度がマイク感度設定値としてＲＡＭ１３の所定の記憶領域に設定される（Ｓ４３）。
【００６３】
例えば、Ｓ２１で明るさの測定値（ＬＵＸ）として「１００ルクス」が取得された場合、Ｓ４１ではマイク感度として「大（−２５ｄＢ）」が特定されて、Ｓ４３でマイク感度設定値として設定されることになる。マイク６は、マイク感度設定値が高いほど小さい音も集音可能であるが、微小な雑音まで集音されるという特性をもつ。本実施例のマイク６では、−４５、−３５、−２５、−１５（ｄＢ）の４段階でマイク感度を設定可能である。
【００６４】
通話モード制御処理（図４）に戻り、「ひそひそモード」が「ＯＦＦ」である場合には（Ｓ３：ＮＯ）、「通常モード」が「ＯＮ」となっているので、マイク感度設定値がデフォルトに戻される（Ｓ７）。マイク感度設定値のデフォルト値は、「通常モード」でのマイク感度設定値である「最小（−４５ｄＢ）」である（図７参照）。
【００６５】
Ｓ５又はＳ７の後、通話が終了か否かが判定される（Ｓ９）。通話が終了していなければ（Ｓ９：ＮＯ）、Ｓ１に戻って再び通話モード判定処理が実行され、「ひそひそモード」であればマイク感度変更処理でマイク感度設定値を変更し（Ｓ５）、「通常モード」であればマイク感度設定値をデフォルトに戻す（Ｓ７）。このように、通話の実行中はＳ１乃至Ｓ９が繰り返し実行され、そのつど最適な通話モードとマイク感度設定値とが設定される。一方、通話が終了すると（Ｓ９：ＹＥＳ）、マイク感度設定値がデフォルトに戻されて（Ｓ１１）、本処理は終了する。
【００６６】
以上、第１の実施例の電話機１によれば、筐体２の下部に第１タッチセンサ２０とフォトセンサ４０を、筐体２の側面部に第２タッチセンサ３０を設けており、利用者が通常通話をしている場合には（図１の左側）、電話機１には「通常モード」の通話モードが設定される。一方、利用者が秘匿通話をすると（図１の右側）、その状態が第１タッチセンサ２０、第２タッチセンサ３０、フォトセンサ４０に検出されて、電話機１には通話モードとして「ひそひそモード」が設定される。よって、電話機１の利用者は、マイク６が設けられた筐体２の下部を覆うという自然な動作で各種通話モードを設定することができる。
【００６７】
また、通話モードとして「ひそひそモード」が設定された場合、フォトセンサ４０から取得される明るさの測定値（ＬＵＸ）に応じて、マイク感度設定テーブル７０から最適なマイク感度が特定されて、マイク６のマイク感度設定値として設定される。よって、電話機１の利用者は、筐体２の下部を覆うという自然な動作によって、任意の程度で通話音声を調整することができる。また、フォトセンサ４０からの測定値（ＬＵＸ）に応じて、マイク感度を段階的に変化させるので、筐体２の下部が覆われた程度に応じて最適な音声信号に調整することできる。
【００６８】
また、電話機１は、マイク６、第１タッチセンサ２０、フォトセンサ４０を筐体２の下部に設け、さらに第１タッチセンサ２０をマイク６の近傍に設けたという位置関係で各構成を具備する。よって、利用者は筐体２を把持しない方の手で筐体２の下部を覆うという一動作のみで、通話モードの設定と通話音声の調整とを、同時かつ簡易に実行できる。
【００６９】
また、通話状態では、電話機１を把持する利用者の手が、筐体２の側面部に設けられた第２タッチセンサ３０に接触するため、利用者が通話状態にあるか否かを正確に把握できる。そのため、通話中にハンドセットの下部が覆われた場合のみ、通話モードの設定と通話音声の調整とが実行されるようにすることができる。
【００７０】
また、フォトセンサ４０は、通話時の利用者が電話機１を把持するときに、筐体２における利用者の顔に対して向けられる面に設けられている。よって、利用者が任意に覆うことが容易な位置にフォトセンサ４０が設けられているので、利用者は自然な動作でかつ容易に通話音声を調整することできる。
【実施例２】
【００７１】
次に、本発明の第２の実施例を図面を参照して説明する。第２の実施例に係る電話機１も基本的な構成は第１の実施例と同じである。しかし、第１の実施例ではマイク６の感度を変化させて音声信号を調整するのに対し、本実施例では、マイク６からの通話音声の増幅率を変化させて音声信号を調整する。
【００７２】
図８は、第２の実施例における、通話モード制御処理のメインフローチャートである。まず、図４に示すＳ１、Ｓ３と同様に、通話モード判定処理が実行され（Ｓ７１）、「ひそひそモード」が「ＯＮ」か否かが判定される（Ｓ７３）。「ひそひそモード」が「ＯＮ」と判定された場合（Ｓ７３：ＹＥＳ）、増幅率変更処理が実行される（Ｓ７５）。
【００７３】
この増幅率変更処理（Ｓ７５）は、マイク６から取得される通話音声を音声信号に変換する音声信号処理部１５において、音量を調整するためのアンプ部（図示しない）での音声信号の増幅率を変更するための処理である。このような音声信号の増幅率の変更は、公知の技術で実現すればよい（例えば、特開平１０−２７６２４７号公報等を参照）。
【００７４】
一例として、アンプ部（図示しない）がゲインを任意に変化させることができるプログラマブルアンプで構成されており、アンプ部（図示しない）にはデフォルトとして「０ｄＢ」が設定される場合を例示する。
【００７５】
Ｓ７３で「ひそひそモード」が「ＯＮ」であると判定された場合（Ｓ７３：ＹＥＳ）、Ｓ７５ではフォトセンサ４０から取得された明るさの計測値（ＬＵＸ）に対応するゲインが算出される。詳細には、明るさの計測値（ＬＵＸ）が小さいほど大きな値のゲインが算出される。そして、算出されたゲイン（例えば「５ｄＢ」）が、アンプ部（図示しない）に増幅率として設定される。一方、Ｓ７３で「ひそひそモード」が「ＯＮ」でないと判定された場合（Ｓ７３：ＮＯ）、通話モードは「通常モード」に設定されているから、アンプ部（図示しない）に設定される増幅率はデフォルトである「０ｄＢ」に戻される（Ｓ７７）。
【００７６】
その後、図４に示すＳ９と同様に、通話終了か否かが判定され（Ｓ７９）、通話終了でなければＳ７１に戻る一方（Ｓ７９：ＮＯ）、通話終了であれば（Ｓ７９：ＹＥＳ）、アンプ部（図示しない）に設定される増幅率はデフォルトである「０ｄＢ」に戻されて（Ｓ８１）、本処理は終了する。
【００７７】
以上、第２の実施例の電話機１によれば、フォトセンサ４０からの測定値（ＬＵＸ）に応じて、マイク６からの音声信号の増幅率を段階的に変化させるので、電話機１の利用者は、筐体２の下部を覆うという自然な動作で各種通話モードを設定することができ、また筐体２の下部が覆われた程度に応じて最適な音声信号に調整することできる。
【実施例３】
【００７８】
次に、本発明の第３の実施例を図面を参照して説明する。第３の実施例に係る電話機１も基本的な構成は第１の実施例と同じである。しかし、第１の実施例ではマイク６の感度を変化させて音声信号を調整するのに対し、本実施例では、マイク６からの通話音声の波形を補正して音声信号を調整する。
【００７９】
図９は、第３の実施例における、通話モード制御処理のメインフローチャートである。まず、図４に示すＳ１、Ｓ３と同様に、通話モード判定処理が実行され（Ｓ９１）、「ひそひそモード」が「ＯＮ」か否かが判定される（Ｓ９３）。「ひそひそモード」が「ＯＮ」と判定された場合（Ｓ９３：ＹＥＳ）、波形補正係数変更処理が実行される（Ｓ９５）。
【００８０】
この波形補正係数変更処理（Ｓ９５）は、マイク６から取得される通話音声を音声信号に変換する音声信号処理部１５において、音声信号の波形を調整するための波形補正部（図示しない）での調整内容を変化させるための処理である。なお、音声信号の波形を調整する手段としては、各種の公知技術を適用できる。例えば、音声信号をフーリエ変換によって、周波数とその周波数に応じたパワーに変換して、音声成分と雑音成分（ノイズ）が混在した信号を取得した後、雑音成分は音声成分よりパワーが低いので、パワーの下の部分を削ることで音声成分のみを抽出し、これを逆フーリエ変換して時間と振幅の信号に戻すことで雑音成分（ノイズ）を低減した音声信号を取得するスペクトラムサブトラクションなどが利用可能である（例えば、特開平９−３４４９７号公報等を参照）。
【００８１】
そして、本実施例の電話機１の波形補正部（図示しない）では、一例として、フォトセンサ４０からの測定値（ＬＵＸ）に応じて、雑音成分（ノイズ）の削減量を制御するための波形補正係数が設定されて、この波形補正係数に基づいてノイズ削減量が決定されて、上述のスペクトラムサブトラクションが実行される場合を例示する。
【００８２】
Ｓ９３で「ひそひそモード」が「ＯＮ」であると判定された場合（Ｓ９３：ＹＥＳ）、Ｓ９５ではフォトセンサ４０から取得された明るさの計測値（ＬＵＸ）に対応する波形補正係数が算出される。詳細には、明るさの計測値（ＬＵＸ）が小さいほど、ノイズ削減量がより小さくなるような値の波形補正係数が算出される。そして、算出された波形補正係数が、波形補正部（図示しない）に設定される。一方、Ｓ９３で「ひそひそモード」が「ＯＮ」でないと判定された場合（Ｓ９３：ＮＯ）、通話モードは「通常モード」に設定されているから、波形補正部（図示しない）に設定される波形補正係数はデフォルトに戻される（Ｓ９７）。
【００８３】
その後、図４に示すＳ９と同様に、通話終了か否かが判定され（Ｓ９９）、通話終了でなければＳ９１に戻る一方（Ｓ９９：ＮＯ）、通話終了であれば（Ｓ９９：ＹＥＳ）、波形補正部（図示しない）に設定される波形補正係数がデフォルトに戻されて（Ｓ１０１）、本処理は終了する。
【００８４】
このように、利用者が通常通話をしている場合は（図１の左側）、電話機１には「通常モード」の通話モードが設定されて、音声信号の波形補正係数がデフォルトに設定される一方、利用者が秘匿通話をしている場合は（図１の右側）、電話機１には通話モードとして「ひそひそモード」が設定されて、波形補正部（図示しない）の波形補正係数が、明るさの計測値（ＬＵＸ）に応じて変更される。よって、電話機１の利用者は、マイク６が設けられた筐体２の下部を覆うという自然な動作で、マイク６からの音声信号の波形を任意に補正することができる。
【００８５】
以上、第３の実施例の電話機１によれば、また、フォトセンサ４０からの測定値（ＬＵＸ）に応じて、マイク６からの音声信号の波形が補正されるので、電話機１の利用者は、筐体２の下部を覆うという自然な動作で各種通話モードを設定することができ、また筐体２の下部が覆われた程度に応じて最適な音声信号に調整することできる。
【実施例４】
【００８６】
次に、図１０乃至図１４を参照しながら、本発明の第４の実施例に係る電話機１００について説明する。上記第１乃至第３の実施例に係る電話機１と同様、本実施例に係る電話機１００は利用者により携行されており、通常時、利用者は電話機１００を片手に把持して、スピーカ３を片耳にあて、かつマイク６に向かって、普通の声の大きさで通話相手と会話する（通常通話）。この通常通話の状態では、利用者と通話相手との間では通常の音量の大きさによる通話が実行される。
【００８７】
一方、周囲の人に遠慮して電話する場合や、通話相手だけに聞こえるように内緒話する場合などでは、利用者は小さな声で通話する（秘匿通話）。この秘匿通話の状態において、本実施例では、後述するように、電話機１００が音声の音量レベルが低いことを感知し、特別な操作を必要とせずに自動的に音声を調整する。
【００８８】
以下の実施例では、逆に通話相手の声が必要以上に大きい場合にも対応しており、このような場合は、電話機１００が音声の音量レベルが高いことを感知し、適正な音量レベルに音声を調整する。特に以下の実施例では、音声の調整をマイク６の感度を変化させることで行う例について説明する。
【００８９】
本実施例に係る電話機１００は、上記第１乃至第３の実施例に係る電話機１とは、第１タッチセンサ２０、第２タッチセンサ３０、フォトセンサ４０が設けられていない点で物理的構成が相違している。他は実質的に同一の構成であるので説明を省略する。
【００９０】
電話機１００の電気的構成を説明する。図１０は、電話機１００の電気的構成を示すブロック図である。図１０に示すように、電話機１００には、ＣＰＵ１０、ＲＯＭ１２、ＲＡＭ１３、通信部１４、音声信号処理部１５、入出力Ｉ／Ｏ１９が、バス１１を介して相互に接続されている。
【００９１】
ＣＰＵ１０は、バス１１により接続された各部を制御し、通話処理やデータ通信処理などを実行するものである。ＲＯＭ１２は、電話機１００で実行される各種プログラムや固定値データなどを格納した書換不能なメモリである。本実施例の電話機１００で実行されるモジュールの一つとして音声調整プログラムが実行されるが、この音声調整プログラムもＲＯＭ１２上のプログラム記憶エリア（図示外）に記憶されている。ＲＡＭ１３は、電話機１００の各処理の実行時に各種のデータを一時的に記憶するためのメモリである。
【００９２】
また、通信部１４は、回線制御を行うためのネットワーク・コントロール・ユニット（ＮＣＵ）である。音声信号処理部１５は、マイク６から入力された音声信号を符号化して、通信部１４を介して通話相手に送信したり、通信部１４を介して得られた通話相手の音声信号を復号化してスピーカ３に出力するなど、音声信号に関する処理を実行する。また、入出力Ｉ／Ｏ１９には、操作部４、表示部５が各々接続されており、電話機１００の内部では各種の入出力信号が伝達可能に構成されている。
【００９３】
次に、本実施例による電話機１００での処理の流れを、図１１乃至１４を参照して説明する。図１１は、音声調整処理のメインフローチャートである。図１２は、マイクからの音量計測処理（Ｓ２０１）の詳細を示すフローチャートである。図１３は、マイク感度変更処理（Ｓ２０４）の詳細を示すフローチャート、図１４は、マイク感度変換テーブルである。
【００９４】
音声調整処理のメインフローチャート（図１１）は、利用者が電話機１００を用いて通話中に実行される。すなわち、電話機１００において、電話の着信又は発信がなされると音声調整処理が開始されて、通話中はその処理が継続して実行され、通話が終了するとその処理が終了される。
【００９５】
図１１に示すように、音声調整処理では、まずマイクからの音量計測処理（Ｓ２０１）が実行される。マイクからの音量計測処理は、電話機１００のマイク６に入力される音声の音量から、現在の利用者の通話音声を適正に計測するための処理である。
【００９６】
図１２に示すように、マイクからの音量計測処理（Ｓ２０１）では、まず通話相手からの送話がスピーカ３から出力中であるか否かが判定される（Ｓ２１１）。この判定は、例えば、音声信号処理部１５からスピーカ３に出力される音声信号をＣＰＵ１０が解析することで行うことができる。
【００９７】
Ｓ２１１で、スピーカ３から送話が出力中でないと判定されると、マイク６からの音量を計測する（Ｓ２１２）。マイク６の音量は、音声信号処理部１５に入力された音声信号の音量レベルにより計測可能である。計測した音量計測値は、例えばＲＡＭ１３に記録する。なお、スピーカ３からの送話が出力中でないときは、基本的に利用者が音声を入力していることになる。よって、計測した音量計測値は、利用者の音声の音量を表すと考えられる。
【００９８】
Ｓ２１１で送話が出力中であると判定されると、音量計測値として平均値をセットする（Ｓ２１３）。音量計測値の平均値は、予め音量計測値の基準となる平均値を、例えばＲＯＭ１２の所定の記憶領域に設定しておき、ＣＰＵ１０がそれを読み出して設定する。通話相手の送話を出力中は、音量計測値の平均値を音量計測値として、例えばＲＡＭ１３に記録する。なお、スピーカ３からの送話を出力中のときは、基本的に利用者が音声を入力していないことになる。よって、計測した音量計測値は、利用者の音声の音量でなく外部環境音を表すと考えられ、マイク６の感度調整に用いるには適さないので、平均値を音量計測値としてセットする。Ｓ２１２、Ｓ２１３の後、音声調整処理（図１１）に戻る。
【００９９】
音声調整処理（図１１）に戻り、音量値解析処理を行う（Ｓ２０２）。音量解析処理は、ＣＰＵ１０が、ＲＡＭに１３記録された音量計測値を読み出し、ＲＯＭ１２に記録された音量計測値の平均値及び標準偏差に対する偏差値を算出する等の処理である。
【０１００】
続いて、算出した上記偏差値と５０との差の絶対値が所定の閾値以下であるか否かを判定する（Ｓ２０３）。所定の閾値は、予めＲＯＭ１２の所定の記憶領域に設定しておく。これは、マイク６に入力された音声の音量レベルが、通話相手に送話する際に調整の必要があるか否かを判定する処理である。
【０１０１】
算出した音量計測値の偏差値と５０との差の絶対値が所定の閾値以下でない場合には、マイク感度変更処理を行う（Ｓ２０４）。図１３に示すように、マイク感度変更処理（Ｓ２０４）では、Ｓ２０２で取得した音量計測値の偏差値に基づいて、マイク感度設定テーブル２４０から設定すべきマイク感度を特定する（Ｓ２３１）。
【０１０２】
図１４に示すように、マイク感度設定テーブル２４０は、音量計測値の偏差値２４２と、その偏差値に対応するマイク感度２４４が段階的に設定されており、音量測定値の偏差値２４２が小さいほど高い値のマイク感度２４４が設定されている。そして、Ｓ２３１で特定されたマイク感度がマイク感度設定値としてＲＡＭ１３の所定の記憶領域に設定される（Ｓ２３２）。
【０１０３】
例えば、閾値が５で、Ｓ２０２で音量計測値の偏差値として「４０」が取得された場合、Ｓ２０３からマイク感度変更処理を行うＳ２０４に進む。Ｓ２３１ではマイク感度として「大（−２５ｄＢ）」が特定されて、Ｓ２３２でマイク感度設定値として設定されることになる。マイク６は、マイク感度設定値が高いほど小さい音も集音可能であるが、微小な雑音まで集音されるという特性をもつ。本実施例のマイク６では、−４５、−３５、−２５、−１５（ｄＢ）の４段階でマイク感度を設定可能である。
【０１０４】
音声調整処理（図１１）に戻り、音量計測値の偏差値と５０との差の絶対値が所定閾値以下の場合には、マイク感度設定値をデフォルトに戻す（Ｓ２０５）。このときマイク感度設定値のデフォルト値は、予めＲＯＭ１２に設定しておき、ＣＰＵ１０がその値を読み出して設定する。例えばマイク感度設定値のデフォルト値は、「中（−３５ｄＢ）」である。
【０１０５】
Ｓ２０４又はＳ２０５の後、通話が終了か否かが判定される（Ｓ２０６）。通話が終了していなければ（Ｓ２０６：ＮＯ）、Ｓ２０１に戻って再び音量調整処理が実行され、音量計測値の偏差値と５０との差の絶対値が閾値より大きければマイク感度変更処理でマイク感度設定値を変更し（Ｓ２０４）、閾値以下であればマイク感度設定値をデフォルトに戻す（Ｓ２０５）。このように、通話の実行中はＳ２０１乃至Ｓ２０６が繰り返し実行され、そのつど最適なマイク感度設定値が設定される。一方、通話が終了すると（Ｓ２０６：ＹＥＳ）、マイク感度設定値がデフォルトに戻されて（Ｓ２０７）、本処理は終了する。
【０１０６】
以上、第４の実施例の電話機１００によれば、スピーカ３から送話が出力中の場合には、マイク感度をデフォルトに設定し、送話が出力中でない場合には、マイク6に入力される音声の音量レベルに応じて段階的にマイク感度を設定する。よって、電話機１００において、利用者の音声の音量を正確に計測することができ、音量調整を適切に行うことができる。また電話機１００の利用者は、ボタンを押すなどの特別な操作をする必要なく、通常通話または秘匿通話を行うことができる。
【０１０７】
音量調整を行うか否かの判定は、マイク６からの音量を計測して自動的に行うので、電話機１００に秘匿通話動作を検出するためのセンサ等を設ける必要がなく、構成が簡略になる。さらに、秘匿通話のみでなく、通常通話でも声の小さい利用者や、逆に声の大きい利用者に対しても適正な音量で通話がなされるように調整が可能である。
【０１０８】
また、外部環境音が大きく、通話相手からの送話が聞き取りにくいような場合には自ずと大きな声で通話しがちだが、常に音量計測を行っているので、適正なマイク感度に保たれることにより通話相手には適正な音量の音声信号で送話が可能になる。
【実施例５】
【０１０９】
次に、本発明の第５の実施例を図面を参照して説明する。第５の実施例に係る電話機１００も基本的な構成は第４の実施例と同一である。しかし、第４の実施例では、マイク６に入力される音量を計測し、計測した音量レベルに応じてその都度マイク６の感度を変化させて音声信号を調整するのに対し、本実施例では、計測した音量レベルを履歴として保持し、その履歴に応じて音声信号を調整する。
【０１１０】
図１５は、第５の実施例における、音声調整処理のメインフローチャートである。まず、図１１に示すＳ２０１と同様に、マイクからの音量計測処理が実行される（Ｓ２５１）。第4の実施例における処理と同様、スピーカ３が送話を出力中の場合には音量計測値として平均値をセットし、出力していない場合にはマイク6からの音量を計測する。すなわち、スピーカ３が送話を出力していない場合には、マイク6からの音量を利用者の音声として音量計測を行い、スピーカ３が送話を出力中は、マイク６からの音量にかかわらず音量計測値として平均値を設定する。
【０１１１】
次に、音量値解析処理を行う（Ｓ２５２）。音量値解析処理は、ＣＰＵ１０が、ＲＡＭ１３に記録された音量計測値を読み出し、所定数の音量計測値の平均値及び標準偏差を算出したり、ＲＡＭ１３に記録された音量計測値の偏差値を算出する等の処理である。
【０１１２】
図１６は、音量解析処理（Ｓ２５２）の詳細を示すフローチャートである。図１6に示すように、Ｓ２５１で計測し、ＲＡＭ１３に保持された音量計測値（本実施例においては、以下、音量値履歴データという。）の数が、所定数を超えたか否かを判定する（Ｓ２６１）。この処理は、マイク6の感度を調整するために基準とする音量値履歴データが、音声調整を適切に行うために十分な数だけ蓄積されたか否かを判定するための処理である。
【０１１３】
音量値履歴データ数が所定数を超えた場合には（Ｓ２６１：ＹＥＳ）、最も古い音量値履歴データを削除し（Ｓ２６２）、最新の音量値履歴データを保存する（Ｓ２６３）。これらの処理は、少なくとも最新の音量値履歴データを保持し、一定数を超えた場合には、古いデータを削除することで、最新の利用者の状況を的確に表す音量値履歴データを保持するようにするための処理である。音量値履歴データは、例えばＲＡＭ１３の所定の記憶領域に保持する。
【０１１４】
続いて、保持された音量値履歴データを用いて、平均値及び標準偏差を求め（Ｓ２６４）、これを用いて、測定した音量計測値の偏差値を求める（Ｓ２６５）。このとき、ＣＰＵ１０は、ＲＡＭ１３に保持された音量値履歴データを読み出し、計算を行う。
【０１１５】
音量値履歴データが所定数以下の場合には（Ｓ２６１：ＮＯ）、測定された音量の偏差値に５０を設定する（Ｓ２６６）。すなわち、音量値履歴データの数が少ない場合には、音量値履歴データを用いて算出する偏差値で利用者の通話状況を正確に表せるとは判断し難いので、上記のような処理を行う。そして、計測した音量計測値を音量値履歴データとして保存する（Ｓ２６７）。Ｓ２６５、Ｓ２６７の処理の後、音声調整処理（図１５）に戻る。
【０１１６】
以下、第４の実施例のＳ２０３以下と同様の処理を行う。すなわちＳ２０３と同様、算出した上記偏差値と５０との差の絶対値が所定の閾値以下であるか否かを判定する（Ｓ２５３）。所定の閾値は、予めＲＯＭ１２の所定の記憶領域に設定しておく。これは、マイク６に入力された音声の音量レベルが、通話相手に送話する際に調整の必要があるか否かを判定する処理である。
【０１１７】
算出した音量計測値の偏差値と５０との差の絶対値が所定の閾値以下でない場合には、マイク感度変更処理を行う（Ｓ２５４）。マイク感度は、音量計測値の偏差値に対応して段階的に設定されており、音量測定値の偏差値が小さいほど高い値のマイク感度が設定されている。そして、特定されたマイク感度がマイク感度設定値としてＲＡＭ１３の所定の記憶領域に設定される。
【０１１８】
音声調整処理（図１５）に戻り、音量計測値の偏差値と５０との差の絶対値が所定閾値以下の場合には、マイク感度設定値をデフォルトに戻す（Ｓ２５５）。このときマイク感度設定値のデフォルト値は、ＲＯＭ１２に予め設定しておき、ＣＰＵ１０がその値を読み出して設定する。
【０１１９】
Ｓ２５４又はＳ２５５の後、通話が終了か否かが判定される（Ｓ２５６）。通話が終了していなければ（Ｓ２５６：ＮＯ）、Ｓ２５１に戻って再び音量調整処理が実行され、音量計測値の偏差値と５０との差の絶対値が閾値より大きければマイク感度変更処理でマイク感度設定値を変更し（Ｓ２５４）、閾値以下であればマイク感度設定値をデフォルトに戻す（Ｓ２５５）。このように、通話の実行中はＳ２５１乃至Ｓ２５６が繰り返し実行され、そのつど音量値履歴データに基づき最適なマイク感度設定値が設定される。一方、通話が終了すると（Ｓ２５６：ＹＥＳ）、マイク感度設定値がデフォルトに戻されて（Ｓ２５７）、本処理は終了する。
【０１２０】
以上、第５の実施例の電話機１００によれば、スピーカ３から送話が出力中の場合には、マイク感度をデフォルトに設定し、送話が出力中でない場合には、マイク6に入力される音声の音量値履歴データの平均に対する音量計測値の偏差値に応じて段階的にマイク感度を設定する。よって、電話機１００において、利用者の音声の音量を正確に計測することができ、音量調整を適切に行うことができる。また電話機１００の利用者は、特別な操作をする必要なく、通常通話または秘匿通話を行うことができる。
【０１２１】
音量調整を行うか否かの判定は、マイク６からの音量を計測して自動的に行うので、電話機１００に秘匿通話動作を検出するためのセンサ等を設ける必要がなく、構成が簡略になる。さらに、秘匿通話のみでなく、通常通話でも声の小さい利用者や、逆に声の大きい利用者に対しても適正な音量で通話がなされるように調整が可能である。
【０１２２】
また、外部環境音が大きく、通話相手からの送話が聞き取りにくいような場合には自ずと大きな声で通話しがちだが、常に音量計測を行っているので、適正なマイク感度に保たれることにより通話相手には適正な音量の音声信号で送話が可能になる。
【０１２３】
さらに、マイク6に入力される音声の音量値履歴データの平均に対する音量計測値の偏差値に応じて段階的にマイク感度を設定するので、通常通話における利用者の音声の大小等の特徴に則して音量調整を行うことができる。
【実施例６】
【０１２４】
次に、図１７、図１８を参照しながら、本発明の第６の実施例に係る電話機２７０について説明する。上記第１乃至第５の実施例に係る電話機１、１００と同様、本実施例に係る電話機２７０は利用者により携行されて使用される電話機である。
【０１２５】
本実施例に係る電話機２７０は、上記第４、第５の実施例に係る電話機１００とは、環境音用外部マイク２１が設けられている点で物理的構成が相違している。環境音用外部マイク２１は、利用者及び通話相手の送話以外の環境音を検出するためのマイクである。よって、スピーカ３、マイク６とは離れた位置、例えば、電話機２７０の側面、または裏面等に設けることが好ましい。他の物理的構成は、電話機１００と実質的に同一であるので説明を省略する。
【０１２６】
電話機２７０の電気的構成を説明する。図１７は、電話機２７０の電気的構成を示すブロック図である。図１７に示すように、電話機２７０には、ＣＰＵ１０、ＲＯＭ１２、ＲＡＭ１３、通信部１４、音声信号処理部１５、入出力Ｉ／Ｏ１９が、バス１１を介して相互に接続されている。音声信号処理部１５には、スピーカ３、マイク６、環境音用外部マイク２１が接続され、入出力Ｉ／Ｏ１９には、操作部４、表示部５が各々接続されている。
【０１２７】
上記構成各々の詳細は、実質的に電話機１００と同一である。本実施例による電話機２７０の特徴的な構成である環境音用外部マイク２１は、利用者の音声または通話相手の送話以外の環境音を主に検出して音声信号に変換するマイクである。環境音用外部マイク２１からの音声信号は、音声信号処理部１５に入力されて、マイク６の音声から環境音を除去する処理に用いられる。
【０１２８】
次に、本実施例による電話機２７０での処理の流れを、図１８を参照して説明する。電話機２７０での音声調整処理は、第４及び第５の音声調整処理と、メインフローチャートは同一である。異なっているのは、第４の実施例の図１１におけるＳ２０１、および、第５の実施例の図１５におけるＳ２５１の「マイクからの音量計測処理」である。
【０１２９】
図１８は、マイクからの音量計測処理の詳細を示すフローチャートである。図１８に示すように、マイクからの音量計測処理においては、環境音用外部マイク２１からの音を計測する（Ｓ２８１）。上述したように、環境音用外部マイク２１は、スピーカ３及びマイク６からなるべく遠ざけて設置し、利用者の音声及び通話相手の送話以外の環境音を計測する。
【０１３０】
計測した環境音用外部マイク２１からの音の位相を反転する（Ｓ２８２）。これは、マイク６で計測される音量から環境音を差し引き、利用者の通話音量をできるだけ正確に計測するための処理である。環境音用外部マイク２１が入力された音声を音声信号に変換して音声信号処理部１５に入力し、音声信号処理部１５は、その音声信号の位相を反転する。
【０１３１】
次に、マイク６からの音を計測する（Ｓ２８３）。マイク６は、計測した音声を音声信号に変換して、音声信号処理部１５に入力する。マイク６からの音量計測処理は第4の実施例における処理と同様、スピーカ３が送話を出力中の場合には音量計測値として平均値をセットし、出力していない場合には、マイク6からの音量を計測する。すなわち、スピーカ３が送話を出力していない場合には、マイク6からの音量を利用者の音声として音量計測を行い、スピーカ３が送話を出力中は、マイク６からの音量にかかわらず音量計測値として平均値を設定する。
【０１３２】
続いて、マイク６からの音と、環境音用外部マイク２１からの位相反転した音を合成する（Ｓ２８４）。すなわち、音声信号処理部１５は、環境音用外部マイク２１からの反転した音声信号とマイク６からの音声信号とを合成する。これは、マイク６が検出した音声から、利用者の音声以外の環境音を除去する処理である。
【０１３３】
上記の合成した音声信号により、マイク６からの音量を計測する（Ｓ２８５）。これは、マイク６からの音量計測値として、環境音用外部マイク２１からの音声を環境音として除去した音声の音量を計測する処理である。計測された音量計測値は、例えばＲＡＭ１３の所定の領域に記憶する。ここで、第５の実施例における図１６の処理と同様に、音量値履歴データを作成するようにしてもよい。
【０１３４】
Ｓ２８５の処理の後、第４、第５の実施例と同様の音声調整処理に戻る。以下、第４及び第５の実施例と同様の処理を行い、マイク６の感度を計測されたマイク６の音量計測値の偏差値に応じて設定する。
【０１３５】
すなわち、音量値解析処理として、図１８の処理で得られたマイク６の音量計測値について、第４の実施例と同様に予めＲＯＭ１２に記憶させておいた平均値及び標準偏差に対して、または、第５の実施例と同様にＲＡＭ１３に記憶された音量値履歴データによる平均値及び標準偏差に対しての偏差値を求める。求めた偏差値に応じて、マイク６の感度を設定する。例えば、偏差値と５０との差が所定の閾値を超えている場合に、偏差値に応じてマイク６の感度を変更し、超えていない場合にはデフォルト値に設定する。
【０１３６】
上記処理の後、通話が終了か否かが判定される。通話が終了していなければ再び音量調整処理が実行され、音量計測値の偏差値に応じてマイク感度変更処理を行う。このように、通話の実行中は上記音声調整処理が繰り返し実行され、そのつど最適なマイク感度設定値が設定される。一方、通話が終了すると、マイク感度設定値がデフォルトに戻されて、本処理は終了する。
【０１３７】
以上、第６の実施例の電話機２７０によれば、環境音用外部マイク２１からの音声信号を反転させてマイク６からの音声信号と合成し、外部からの環境音を除去するようにしたので、第４及び第５の実施例における効果に加えて、利用者の音声の音量をより正確に計測する効果がある。その音量計測値に応じてマイク感度の設定を行うので、より的確に音声調整処理を行うことが可能になる。
【実施例７】
【０１３８】
次に、図１９乃至図２４を参照しながら、第７の実施例に係る電話機３０２、３０４について説明する。図１９は、電話機３０２、３０４を有する通信システム３００の概要を示す図、図２０は、電話機３０２、３０４における送話処理を示すフローチャート、図２１は、電話機３０２、３０４における受話処理を示すフローチャートである。
【０１３９】
図１９に示すように、通信システム３００は、電話機３０２と電話機３０４とが無線を含む通信ネットワーク３０６を介して接続されている。電話機３０２、電話機３０４は同一の機能、構成を有する電話機であり、その外観は、第４及び第５の実施例に係る電話機１００、第５の実施例に係る電話機２７０のように、第１タッチセンサ２０、第２タッチセンサ３０、フォトセンサ４０が設けられていないものと実質的に同一である。また、電気的構成は、図１０に示した第３及び第４の実施形態に係る電話機１００と実質的に同一であるので、同一の参照番号を用いて説明する。第１乃至第６の実施例と異なる点は、図１９に示したように、音声データを送信する際にスピーカ３の設定レベルを重畳して送信することである。
【０１４０】
図２０に示すように、電話機３０２、３０４の送話処理では、まず、マイク６からの音声をエンコードする（Ｓ３１０）。すなわち、マイク６が入力された音声を音声信号に変換し、音声信号処理部１５に入力すると、音声信号処理部１５が音声信号を符号化して音声データを作成する。次に、スピーカ設定レベルを取得する（Ｓ３１１）。ここでは、ＣＰＵ１０が、送話側の電話機において設定され、ＲＡＭ１３の所定の領域に記憶されているスピーカ３の設定レベルを取得する。
【０１４１】
続いて、音声データにスピーカ設定レベルを重畳した送信データを作成する（Ｓ３１２）。音声データへのスピーカ設定レベルの重畳は、公知の技術で実現すればよい（例えば、特開平２００１−１５７１７９号公報参照）。一例として、ＣＰＵ１０が、取得したスピーカ設定レベルにヘッダを付加し、さらに音声信号処理部１５が作成した音声データに重畳することで、送信データを作成することができる。ＣＰＵ１０は作成した送信データを、通信部１４に入力する。
【０１４２】
通信部１４は送信データを相手電話機に送信する（Ｓ３１３）。これは、通信部１４が送信データを通信ネットワーク３０６を介して通話相手の電話機に送信する処理である。
【０１４３】
さらに、通話終了か否かを判定する（Ｓ３１４）。通話が終了していない場合には、Ｓ３１０に戻って上記処理を繰り返す。このように、通話の実行中はＳ３１０乃至Ｓ３１４が繰り返し実行され、スピーカ設定レベルを含む送信データが通話相手に送信される。通話が終了すると、本処理を終了する。
【０１４４】
図２１に示すように、電話機３０２、３０４の受話処理では、まず、受信データから相手の音声データを分離する（Ｓ３２０）。受信データとは、通話相手が送信データとして送信したデータである。この受信データは、音声データにスピーカ設定レベルが重畳されているので、通信部１４は受信した受信データをＣＰＵ１０に入力し、ＣＰＵ１０は受信データから音声データを分離する。
【０１４５】
次に、音声データをデコードする（Ｓ３２１）。分離された音声データは音声信号処理部１５でデコードされ、音声信号に変換される。音声信号は、スピーカ３に入力され、スピーカ３は音声を出力する（Ｓ３２２）。さらに、通話が終了か否かが判定される（Ｓ３２３）。通話が終了していない場合には、Ｓ３２０に戻って上記処理を繰り返す。このように、通話の実行中はＳ３２０乃至Ｓ３２３が繰り返し実行され、スピーカ設定レベルを含む受信データから音声データが分離されてデコードされ、スピーカ３から出力される。通話が終了すると、本処理を終了する。
【０１４６】
次に、本実施例に係る音声調整処理について、図２２乃至２４を参照しながら説明する。図２２は、音声調整処理のメインフローチャート、図２３は、マイク感度変更処理の詳細を示すフローチャート、図２４は、マイク感度変換テーブルである。
【０１４７】
図２２に示すように、本実施例による音声調整処理ではまず、受信データから相手のスピーカ設定レベルを分離する（Ｓ３３０）。通信部１４は、受信データをＣＰＵ１０に入力し、ＣＰＵ１０が受信データからスピーカ設定レベルを分離する。次に、通話相手のスピーカ設定レベルを分離できたか否か判定し（Ｓ３３１）、分離できると、マイク感度変更処理を行う（Ｓ３３２）。
【０１４８】
図２３に示すように、マイク感度変更処理ではまず、取得した通話相手のスピーカ設定レベルに基づいて、マイク感度設定テーブルからマイク感度を特定する（Ｓ３４０）。
【０１４９】
図２４に示すように、マイク感度設定テーブル３６０は、通話相手のスピーカ設定レベル３６２に応じてマイク感度３６４が対応している。通話相手のスピーカ設定レベル３６２が小さいほど、マイク感度３６４は高く設定されている。例えば相手のスピーカ設定レベルが８０％の場合には、マイク感度は最大（−１５ｄＢ）であり、２０％の場合には最小（−４５ｄＢ）である。
【０１５０】
マイク感度変換テーブル３６０で特定したマイク感度を、マイク６のマイク感度設定値に設定し（Ｓ３４１）、音声調整処理（図２２）に戻る。通話相手のスピーカ設定レベルを分離できない場合には（Ｓ３３１：ＮＯ）、マイク感度設定値をデフォルトに戻し（Ｓ３３３）、音声調整処理（図２２）に戻る。
【０１５１】
続いて、通話が終了か否かが判定される（Ｓ３３４）。通話が終了していない場合には、Ｓ３３０に戻って音声調整処理を繰り返す。このように、通話の実行中はＳ３３０乃至Ｓ３３４が繰り返し実行され、通話相手のスピーカ設定レベルを含む受信データからスピーカ設定レベルを分離し、スピーカ設定レベルに応じてマイク感度を変更する。通話が終了する（Ｓ３３４：ＹＥＳ）と、マイク感度設定値をデフォルトに戻し（Ｓ３３５）、本処理を終了する。
【０１５２】
以上詳細に説明したように、第７の実施例に係る電話機３０２、３０４によれば、送話処理で、音声データにスピーカ設定レベルを重畳した送信データを送信し、受話処理で、受信した受信データからスピーカ設定レベルを分離してスピーカ設定レベルに応じてマイク感度を設定する。よって、通話相手のスピーカ設定レベルが低い場合にはマイク感度を高くし、スピーカ設定レベルが高い場合にはマイク感度を低くすることで、利用者がボタンを押すなどの特別な操作を行う必要なく適切に音量調節を行うことができる。
【０１５３】
また、電話機３０２、３０４の利用者が設定するスピーカ設定レベルは個々に異なる可能性があるが、夫々に対して適切なマイク感度を設定可能であるので、より的確な音量調整をすることが可能である。
【０１５４】
さらに、本実施例による音声調整は、受話側のスピーカ設定レベルに応じて行うので、例えば音量が小さいと聞き取りにくい利用者には音量レベルを上げるなど、利用者の聴力や電話機使用時の慣習などに応じて適切に音量調節を行うことができる。
【０１５５】
なお、本発明は、以上詳述した第１乃至第７の実施例に限定されるものではなく、各種の変形が可能なことはいうまでもない。
【０１５６】
上記実施例では、電話機１は筐体２に全ての構成が一体に具備された携帯電話機を例示しているが、利用者が通話に用いるためのマイク及びスピーカを備えたハンドセットと、操作部、表示部、制御部などの他の構成を備えた本体装置とが、コードで接続された通常の固定電話機であっても、本発明を適用できる。この場合、第１乃至第３の実施例においては、ハンドセットに第１タッチセンサ２０、第２タッチセンサ３０、フォトセンサ４０を設ければよい。
【０１５７】
また、マイク６からの音声信号を調整する手法は、上記実施例に限定されず、電話機１、１００、２７０、３０２、３０４の実装や利用形態に応じて、マイク６からの音声信号を増幅、周囲ノイズリダクション、音質補正(波形補正)、周波数補正（簡単なイコライザ）、エコーをかけて聞きやすくするなど、様々な手法を適用可能である。
【０１５８】
例えば、第３の実施例では、フォトセンサ４０からの測定値（ＬＵＸ）に応じて音声信号の波形を補正しているが、波形補正係数によりノイズ削減量を変化させる以外にも、周波数領域フィルタによる原音付加（マスキング）を施す等してもよい。また、第４乃至第７の実施例においては、マイク６の感度を変更して音量調整を行う方法について説明したが、第２の実施例のように、音声信号の増幅率を段階的に変化させるようにしてもよいし、第３の実施例のように音声信号の波形を補正するようにしてもよい。これらの方法によれば、通話相手に最初の音声を送る段階から音声調整が可能になる。
【０１５９】
また、電話機１において通話モードとして「ひそひそモード」が設定された場合、その旨を通話相手に通知するようにしてもよい。例えば、ひそひそモード」が設定された旨の通知を受けた通話相手側の端末（電話機）では、所定の振動動作や所定のブザー音や音声の発音動作が実行される等である。さらに、マイク６からの音声信号の調整が、電話機１ではなく通話相手側の端末（電話機）で実行されるようにしてもよい。
【０１６０】
また、通話中の利用者が筐体２の下部が覆ったことを検出するための秘話動作検出手段として、第１タッチセンサ２０、第２タッチセンサ３０が設けられているが、第１タッチセンサ２０のみが設けられた構成としてもよい。また、第２タッチセンサ３０は、電話機１の側面部に設けられているが、他の部位に設けられてよい。また、電話機１に３つ以上の秘話動作検出手段を設けてもよい。また、利用者の身体部位の接触を検知する接触型センサとして構成されているが、非接触センサとして構成してもよいし、圧力センサ、静電センサ、光センサとして構成してもよい。
【０１６１】
また、上記第１乃至第３の実施例では、通話中の利用者が筐体２の下部が覆ったことを、被覆検出手段（第１タッチセンサ２０、第２タッチセンサ３０）が検出した場合に「ひそひそモード」を設定しているが、秘話動作検出手段は、利用者の様々な動作に基づいて各種通話モードの設定を行うことができる。例えば、利用者が前かがみになると、携帯電話の傾きが変化するため、この傾きの変化をジャイロや単純な錘を利用したもの等の姿勢検出手段が検出した場合に「ひそひそモード」を設定してもよい。また、通話中の利用者が小声になると周波数成分が変化するため、この声の変化をフーリエ変換や特徴的な音域のフィルタリングなどで取り出して相対変化を検出し、所定の息の音(周波数成分)を検出した場合に「ひそひそモード」を設定してもよい。
【０１６２】
また、上記第１乃至第３の実施例では、通話モードとして「通常モード」と「ひそひそモード」を例示したが、利用者又は設計者の任意で各種通話モードを利用できる。例えば、騒音環境下で通話する利用者の声をより明瞭に通話相手に伝えるための「騒音通話モード」や、耳の遠い通話相手のために利用者の声を大きくして通話相手に伝えるための「拡声モード」などである。そして、所定の利用者の動作と各種通話モードとをあらかじめ対応付けておけば、電話機１では利用者の動作に応じて各種通話モードが自動的に設定されるようにすることができる。
【０１６３】
また、利用者が音声信号を任意に調整するための調整指示手段として、フォトセンサ４０が電話機１の下部に設けられているが、電話機１における他の部位に設けられてもよい。また、フォトセンサ４０は光センサとして構成され、利用者はフォトセンサ４０に照射される光量を調整することで任意に音声信号を調整できるが、調整指示手段を他の手段によって構成してもよい。例えば、外部からの押圧の強さを検知するタッチパネルで構成し、利用者はその調整指示手段を指圧することで任意に音声信号を調整できるようにしてもよい。
【０１６４】
このように、第１乃至第３の実施例に係る電話機１は、通話中の利用者が自然な動作で音声信号の調整ができるのであれば、秘話動作検出手段及び調整指示手段である各種センサを様々な態様で具備することができる。
【０１６５】
また、利用者が操作部４を操作して、第１及び第４乃至第７の実施例では、マイク感度を所望の感度に設定するマイク感度設定手段を更に設けても良いし、第２の実施例では、増幅率を所望の増幅率に設定する増幅率設定手段を更に設けても良く、この場合、明るさの測定値(ＬＵＸ)が標準閾値以上の場合には、利用者に設定された値となり、通話終了後にデフォルトに戻る値も利用者に設定された値となる。
【０１６６】
また、第１、第２の実施例では、通話モード判定処理（Ｓ１）において、明るさの測定値(ＬＵＸ)を標準閾値より低いか否かを判断していたが、まず初めに、第１タッチセンサ２０がオンか否かを判断しても良い。
【産業上の利用可能性】
【０１６７】
本発明の音声通信装置は、固定電話機、携帯電話機、ＰＨＳ、電話機能付パーソナルコンピュータなど、音声通話が可能な端末機器に適用できる。
【図面の簡単な説明】
【０１６８】
【図１】図１は電話機１を用いて通話する利用者を示す図である。
【図２】図２は電話機１の物理的構成を示す外観斜視図である。
【図３】図３は電話機１の電気的構成を示すブロック図である。
【図４】図４は通話モード制御処理のメインフローチャートである。
【図５】図５は通話モード判定処理（Ｓ１）の詳細を示すフローチャートである。
【図６】図６はマイク感度変更処理（Ｓ７）の詳細を示すフローチャートである。
【図７】図７はマイク感度設定テーブル７０の構成を示す図である。
【図８】図８は第２の実施例における、通話モード制御処理のメインフローチャートである。
【図９】図９は第３の実施例における、通話モード制御処理のメインフローチャートである。
【図１０】図１０は第４の実施例に係る電話機１００の電気的構成を示すブロック図である。
【図１１】図１１は第４の実施例における音声調整処理のメインフローチャートである。
【図１２】図１２はマイクからの音量計測処理（Ｓ２０１）の詳細を示すフローチャートである。
【図１３】図１３はマイク感度変更処理（Ｓ２０４）の詳細を示すフローチャートである。
【図１４】図１４はマイク感度設定テーブル２４０の構成を示す図である。
【図１５】図１５は第５の実施例における音声調整処理のメインフローチャートである。
【図１６】図１６は音量解析処理（Ｓ２５２）の詳細を示すフローチャートである。
【図１７】図１７は第６の実施例に係る電話機２７０の電気的構成を示すブロック図である。
【図１８】図１８は第６の実施例におけるマイクからの音量計測処理の詳細を示すフローチャートである。
【図１９】図１９は第７の実施例に係る通信システム３００を示す図である。
【図２０】図２０は第７の実施例における送話処理を示すフローチャートである。
【図２１】図２１は第７の実施例における受話処理を示すフローチャートである。
【図２２】図２２は第７の実施例における音声調整処理のメインフローチャートである。
【図２３】図２３はマイク感度変更処理（Ｓ３３２）の詳細を示すフローチャートである。
【図２４】図２４はマイク感度設定テーブル３６０の構成を示す図である。
【符号の説明】
【０１６９】
１    電話機
２    筐体
３    スピーカ
４    操作部
５    表示部
６    マイク
７    アンテナ
１０    ＣＰＵ
１１    バス
１２    ＲＯＭ
１３    ＲＡＭ
１４    通信部
１５    音声信号処理部
１９    入出力Ｉ／Ｏ
２０    タッチセンサ
３０    タッチセンサ
４０    フォトセンサ
７０    マイク感度設定テーブル
【図１】
2006025402.tif 000003
【図２】
2006025402.tif 000004
【図３】
2006025402.tif 000005
【図４】
2006025402.tif 000006
【図５】
2006025402.tif 000007
【図６】
2006025402.tif 000008
【図７】
2006025402.tif 000009
【図８】
2006025402.tif 000010
【図９】
2006025402.tif 000011
【図１０】
2006025402.tif 000012
【図１１】
2006025402.tif 000013
【図１２】
2006025402.tif 000014
【図１３】
2006025402.tif 000015
【図１４】
2006025402.tif 000016
【図１５】
2006025402.tif 000017
【図１６】
2006025402.tif 000018
【図１７】
2006025402.tif 000019
【図１８】
2006025402.tif 000020
【図１９】
2006025402.tif 000021
【図２０】
2006025402.tif 000022
【図２１】
2006025402.tif 000023
【図２２】
2006025402.tif 000024
【図２３】
2006025402.tif 000025
【図２４】
2006025402.tif 000026